(57)【要約】【課題】長尺の照明器具であっても容易にランプを取り付けることができ、さらにランプを反りにくくすることができる。【解決手段】ＬＥＤを光源とする直管形ランプ４が二本取り付けられる器具本体１を備える照明器具１０であって、器具本体１の両方の端部にそれぞれ設けられ、直管形ランプ４の一方の端部に設けられた給電ピン４１ａが接続される給電用ソケット２と、給電用ソケット２の間に設けられ、二本の直管形ランプ４の他方の端部に設けられた各保持ピン４２ａを保持する保持部用ソケット３を備えることを特徴とする。【選択図】図３
2014203519.tif 000002
【特許請求の範囲】
【請求項１】
発光素子を光源とする直管形ランプが二本取り付けられる器具本体を備える照明器具であって、
前記器具本体の両方の端部にそれぞれ設けられ、前記直管形ランプの一方の端部に設けられた給電ピンが接続される給電用ソケットと、
前記給電用ソケットの間に設けられ、二本の前記直管形ランプの他方の端部に設けられた各保持ピンを保持する保持部を備えることを特徴とする照明器具。
【請求項２】
前記保持部は、二本の前記保持ピンを並列に保持することを特徴とする請求項１に記載の照明器具。
【請求項３】
前記保持部は、二本の前記保持ピンを鉛直方向に平行な面内で保持することを特徴とする請求項２に記載の照明器具。
【請求項４】
前記保持部は、二本のうち一方の前記保持ピンを前記保持部の下端から上方に挿入して保持する第１挿入部と、他方の前記保持ピンを前記保持部の側面から挿入して保持する第２挿入部からなることを特徴とする請求項３に記載の照明器具。
【請求項５】
前記保持部は、二本のうち一方の前記保持ピンを前記保持部の下端から上方に挿入して保持する第３挿入部と、前記第３挿入部に適長離隔し、かつ前記第３挿入部に平行に設けられる第４挿入部からなることを特徴とする請求項２に記載の照明器具。
【発明の詳細な説明】
【技術分野】
【０００１】
本発明は、発光素子を光源とする直管形ランプを取り付けて使用することができる照明器具に関する。
【背景技術】
【０００２】
従来、発光ダイオード（ＬＥＤ；Ｌｉｇｈｔ Ｅｍｉｔｔｉｎｇ Ｄｉｏｄｅ）等の発光素子を光源として有する直管形ランプを取り付けて使用できる照明器具が製品化されている。上記ＬＥＤを光源とする直管形ＬＥＤランプは、直管形蛍光ランプの代替として使用されており、直管形蛍光ランプに比較して低消費電力かつ長寿命であることに特徴がある。
【０００３】
例えば、特許文献１には、図１４に示すように、軸方向の一端側に給電用口金１０１が設けられ、他端側には接地用口金１０２が設けられた直管形ＬＥＤランプ１０３および直管形ＬＥＤランプ１０３が装着される給電用のランプソケット１０４と接地用のランプソケット１０５と器具本体１０６を備えた照明器具１００が開示されている。
【０００４】
また、従来２０Ｗ形、４０Ｗ形、１１０Ｗ形等の直管形蛍光ランプに相当する、長さの異なる直管形ＬＥＤランプおよびまた各種直管形ＬＥＤランプを取り付けることができる照明器具が開発されている。
【先行技術文献】
【特許文献】
【０００５】
【特許文献１】特開２０１２−９３９２号公報
【発明の概要】
【発明が解決しようとする課題】
【０００６】
前記各種ランプ長の異なる直管形ＬＥＤランプのうち、特に１１０Ｗ形相当の直管形ＬＥＤランプにあっては、ランプ長が約２３８５ｍｍにも及ぶ。特許文献１に記載の照明器具１００のように、器具本体１０６の両端に設けられたランプソケット１０３および１０４で１１０Ｗ形相当の直管形ＬＥＤランプの両端部を保持する場合、１１０Ｗ形相当の直管形ＬＥＤランプは他のランプに比べて長尺であるため中央部がランプの自重やＬＥＤの熱によりカバーが変形し易く、照明器具に取り付けられたランプが反るおそれがある。
【０００７】
また、特に長尺の直管形ＬＥＤランプの場合、ランプの両端に位置する口金を器具の両端に位置するソケットに取り付ける作業を一人で行うことは困難であるという問題もある。
【０００８】
本発明は、上記の問題に鑑みてなされたものであり、長尺の照明器具であっても容易にランプを取り付けることができ、さらにランプが反りにくい照明器具を提供することを目的とする。
【課題を解決するための手段】
【０００９】
本発明の照明器具は、発光素子を光源とする直管形ランプが二本取り付けられる器具本体を備える照明器具であって、前記器具本体の両方の端部にそれぞれ設けられ、前記直管形ランプの一方の端部に設けられた給電ピンが接続される給電用ソケットと、前記給電用ソケットの間に設けられ、二本の前記直管形ランプの他方の端部に設けられた各保持ピンを保持する保持部を備えることを特徴とする。
【００１０】
また、本発明の照明器具は、前記保持部は、二本の前記保持ピンを並列に保持することを特徴とする。
【００１１】
また、本発明の照明器具は、前記保持部は、二本の前記保持ピンを鉛直方向に平行な面内で保持することを特徴とする。
【００１２】
また、本発明の照明器具は、前記保持部は、二本のうち一方の前記保持ピンを前記保持部の下端から上方に挿入して保持する第１挿入部と、他方の前記保持ピンを前記保持部の側面から挿入して保持する第２挿入部からなることを特徴とする。
【００１３】
また、本発明の照明器具は、前記保持部は、二本のうち一方の前記保持ピンを前記保持部の下端から上方に挿入して保持する第３挿入部と、前記第３挿入部に適長離隔し、かつ前記第３挿入部に平行に設けられる第４挿入部からなることを特徴とする。
【発明の効果】
【００１４】
本発明によれば、長尺の照明器具であっても容易にランプを取り付けることができ、さらにランプを反りにくくすることができる。
【図面の簡単な説明】
【００１５】
【図１】本発明に係る照明器具および二本のＬＥＤランプの外観斜視図である。
【図２】第１の実施形態に係る保持用ソケットの説明図である。
【図３】給電用ソケットおよび図２の保持用ソケットに対するＬＥＤランプの取付方法の説明図である。
【図４】ＬＥＤランプが取り付けられた図２の保持用ソケットの側面図および下面図である。
【図５】第２の実施形態に係る保持用ソケットの説明図である。
【図６】給電用ソケットおよび図５の保持用ソケットに対するＬＥＤランプの取付方法の説明図である。
【図７】ＬＥＤランプが取り付けられた図５の保持用ソケットの側面図および下面図である。
【図８】第３の実施形態に係る保持用ソケットの説明図である。
【図９】給電用ソケットおよび図８の保持用ソケットに対するＬＥＤランプの取付方法の説明図である。
【図１０】ＬＥＤランプが取り付けられた図８の保持用ソケットの側面図および下面図である。
【図１１】第４の実施形態に係る保持用ソケットの説明図である。
【図１２】給電用ソケットおよび図１１の保持用ソケットに対するＬＥＤランプの取付方法の説明図である。
【図１３】ＬＥＤランプが取り付けられた図１１の保持用ソケットの側面図および下面図である。
【図１４】従来の照明器具および直管形ＬＥＤランプの説明図である。
【発明を実施するための形態】
【００１６】
（第１の実施形態）
本発明の第１の実施の形態について説明する。本実施形態では、一例として、天井等の設置部に設けられている直管形ＬＥＤランプを取り付けて使用することができる照明器具に適用する場合について説明する。
【００１７】
図１に、本発明に係る照明器具１０および二本のＬＥＤランプ４，４の外観斜視図を示す。図２に、図１に示す保持用ソケット３の説明図を示す。図３に、第１の実施形態に係る照明器具１０の給電用ソケット２および保持用ソケット３に対するＬＥＤランプ４の取付方法の説明図を示す。図４に、ＬＥＤランプ４が取り付けられた保持用ソケット３の側面図および下面図を示す。
【００１８】
図１に示すように、照明器具１０は、器具本体１と、器具本体１の下面１１における長手方向の一端部１２および他端部１３に設けられた給電用ソケット２，２と、下面１１の長手方向の略中央部に設けられた保持用ソケット３を備える。また、照明器具１０には、各給電用ソケット２と保持用ソケット３の間に二本のＬＥＤランプ４がそれぞれ着脱可能に取り付けられる。器具本体１内部には、二本のＬＥＤランプ４に電力を供給する不図示の電源装置が設けられている。
【００１９】
照明器具１０に取り付けられるＬＥＤランプ４について図１および図３に基づき説明する。なお、図３は給電用ソケット２および保持用ソケット３に対するＬＥＤランプ４の取付方法の説明図であり、器具本体１は省略されている。また、図３でＬＥＤランプ４は簡略化して図示されている。
【００２０】
ＬＥＤランプ４は、不図示の光源としてのＬＥＤと、軸方向の一方の端部に設けられた給電口金４１と、他方の端部に設けられた保持口金４２と、ＬＥＤからの光を出射して発光面を形成するカバー４３とを有する。なお、本発明の直管形ランプの光源としては、ＬＥＤの他にＥＬ（Ｅｌｅｃｔｒｏｌｕｍｉｎｅｓｃｅｎｃｅ）等の他の発光素子を用いることができる。また、カバー４３にはポリカーボネート等の透光性の樹脂材料を用いることができる。
【００２１】
給電口金４１は、二本の金属製の給電ピン４１ａ，４１ａを有し、保持口金４２は、一本の金属製の保持ピン４２ａを有する。ＬＥＤランプ４は、例えば、一般社団法人日本電球工業会規格ＪＥＬ８０１で規定される、Ｌ形ピン口金ＧＸ１６ｔ−５付直管形ＬＥＤランプである。すなわち、照明器具１０からの電力が給電ピン４１ａのみから供給され、保持口金４２の保持ピン４２ａは、保持用ソケット３を介して器具本体１へ接地する接地端子として機能する。なお、保持ピン４２ａは、器具本体１に接地されないものであってもよい。
【００２２】
給電ピン４１ａ，４１ａは、一対のＬ字形の導電ピンであり、先端が互いに反対方向に屈曲した形状を有する。保持ピン４２ａは、先端に楕円形の保持板部を有し、後述する保持用ソケット３内のアース銅板３３と接続して、ＬＥＤランプ４を接地させる機能を有する。なお、保持板部は、楕円の長軸が、ＬＥＤランプ４の出射方向に対し垂直方向をなし、ＬＥＤランプ４の取り付け状態で水平方向に平行となるように設けられている。
【００２３】
給電ピン４１ａ，４１ａのうち一方は、給電用ソケット２内部の不図示の負極接点銅板と電気的に接続し、他方は正極接点銅板と電気的に接続する。これにより、器具本体１内部の電源装置からの直流電流を給電ピン４１ａ，４１ａを介してＬＥＤランプ４内のＬＥＤに供給し、ＬＥＤランプ４を点灯させることが可能となる。
【００２４】
給電用ソケット２は、下端が開口したスリット２１と、スリット２１の一部が形成された回転部２２を有している。回転部２２は、給電用ソケット２に取り付けられるＬＥＤランプ４の軸周りに回転できる円板状の部材である。回転部２２に設けられたスリット２１は、給電用ソケット２の下端にあるスリット２１の一部と繋がった状態で、スリット２１の下端から挿入された給電ピン４１ａ，４１ａを回転部２２の内側に移動させることができる。
【００２５】
そして、回転部２２の内側に挿入された給電ピン４１ａ，４１ａは、ＬＥＤランプ４を回転させることで給電用ソケット２内部にある正極接点銅板および負極接点銅板と接続させることができる。
【００２６】
次に、第１の実施形態に係る保持部としての保持用ソケット３について図２に基づき説明する。なお、図２の（ａ）は保持用ソケット３の正面図、（ｂ）は側面図、（ｃ）は背面図、（ｄ）は上面図、（ｅ）は（ｂ）のＡ−Ａ´断面図およびＢ−Ｂ´断面図である。
【００２７】
図２（ａ）および（ｃ）に示す正面図および背面図の向きは、それぞれ器具本体１の一端部１２および他端部１３に対向する方向である。また、図２（ａ）の正面図は、一端部１２側に位置する第１保持部３１を示し、（ｃ）の背面図は、他端部１３側に位置する第２保持部３２を示す。
【００２８】
保持用ソケット３には、第１保持部３１および第２保持部３２にそれぞれ異なるＬＥＤランプ４の保持ピン４２ａを保持させることが可能である。また、本実施形態の第１保持部３１および第２保持部３２は実質的に同一の構造を有している。
【００２９】
具体的には、第１保持部３１および第２保持部３２は、樹脂製の筺体部３１ａ，３２ａと、筺体部３１ａ，３２ａの下端が開口した挿入部としてのスリット３１ｂ，３２ｂと、筺体部３１ａ，３２ａ内の上端に設けられた接地端子３１ｃ，３２ｃと、該接地端子３１ｃ，３２ｃに接続されたアース銅板３３と、第１保持部３１および第２保持部３２を器具本体１の下面１１に取り付けるためのネジ３４，３４を挿通するネジ穴等を有する。
【００３０】
第１保持部３１と第２保持部３２との間は、内壁面で区画されており、各保持部のスリット３１ｂ，３２ｂにＬＥＤランプ４の保持ピン４２ａを独立して挿入し保持できる。つまり、第１保持部３１と第２保持部３２に保持された保持ピン４２ａの先端どうしが挿入経路で当接して干渉することはない。以下、第１保持部３１について説明し、同一の構成である第２保持部３２については説明を省略する。
【００３１】
スリット３１ｂは、筺体部３１ａの下端に開口を有し、筺体部３１ａの器具本体１の一端部１２に対向する面３１ｄが鉛直上方向、つまり器具本体１方向に溝状に切り欠かれている。つまりスリット３１ｂは筺体部３１ａの下端から切欠状に形成されている。これにより、筺体部３１ａの下端から挿入された保持ピン４２ａが、スリット３１ｂ内で鉛直上方向に移動できるようになっている。
【００３２】
次に、図２（ｅ）に示すように、アース銅板３３は、筺体部３１ａの内部に配置されており、一端が接地端子３１ｃに接続されており、他端が筺体部３１ａの下端に位置している。アース銅板３３は、保持ピン４２ａと電気的に接続してＬＥＤランプ４を接地するためのものであり、屈曲した矩形銅板からなる。ただし、保持ピン４２ａを保持するバネ部材は、保持ピン４２ａを接地させることができれば材料は銅板に限定されない。また、本発明の保持部は接地機能を有していないものでもよいので、アース銅板３３の代わりに非金属性のバネ部材を保持ピン４２ａの保持に用いてもよい。
【００３３】
アース銅板３３は、スリット３１ｂの内側方向に突出するバネ部３３ａと、バネ部３３ａの上部に位置する凹部３３ｂとを有する。バネ部３３ａはＬＥＤランプ４の取り付け時に保持ピン４２ａが当接してスリット３１ｂの外側に撓むように変形する。また、凹部３３ｂはスリット３１ｂの外側方向に窪んでおり、凹部３３ｂと対向した位置にある湾曲部３１ｄとの間で保持ピン４２ａを保持する。なお、湾曲部３１ｄは筺体部３１ａと一体的に形成された部材である。
【００３４】
また、図２（ｄ）に示すように、筺体部３１ａおよび３２ａの上面には、ネジ３４，３４を挿通するネジ穴が形成されている。上記ネジ３４，３４により保持用ソケット３は器具本体１の下面１１に取り付けられる（図４参照）。
【００３５】
次に、図３および図４に基づき、照明器具１０に対するＬＥＤランプ４の取付方法について説明する。
【００３６】
図３の矢印で示すように、ＬＥＤランプ４は、器具本体１の下方から給電用ソケット２のスリット２１と保持用ソケット３のスリット３１ｂに対しそれぞれ給電ピン４１ａ，４１ａおよび保持ピン４２ａを挿入する。挿入時において、一対の給電ピン４１ａ，４１ａは、鉛直方向に平行に並び、給電ピン４１ａは保持板部の楕円の長軸が鉛直方向に平行となるようにして挿入する。
【００３７】
保持ピン４２ａは、バネ部３３ａに当接し、バネ部３３ａを撓ませながら上方に移動し、凹部３３ｂと湾曲部３１ｄとの間に位置することでバネ部３３ａは元の形状に弾性復帰する。また、給電ピン４１ａ，４１ａは、回転部２２の内部に移動させる。
【００３８】
次に、カバー４３がなす発光面が下方、つまり下面１１と反対側を向くように、ＬＥＤランプ４を長手方向に平行な軸周りに９０度回転させる。保持ピン４２ａは、保持板部の楕円の長軸が水平方向に平行となることで、アース銅板３３の弾性力により凹部３３ｂと湾曲部３１ｅの間で狭持および保持される。また、給電ピン４１ａ，４１ａは水平方向に平行に並ぶ向きになり、給電用ソケット２に保持される。なお、この状態となって初めて給電ピン４１ａ，４１ａは正極接点銅板および負極接点銅板と電気的に接続され、電源装置からＬＥＤへの給電が可能な状態となる。
【００３９】
また、照明器具１０には、二本のＬＥＤランプ４を取り付けることができる。つまり、器具本体１の両端部の各給電用ソケット２，２と、保持用ソケット３の第１保持部３１および第２保持部３２の間にＬＥＤランプ４を取り付けることができる。
【００４０】
図４（ａ）のＬＥＤランプ４が取り付けられた保持用ソケット３の側面図および（ｂ）の下面図のように、二本のＬＥＤランプ４の各保持ピン４２ａは、器具本体１の長手方向に平行な同一直線上に位置している。つまり、二本のＬＥＤランプ４が略一直線上に連設されているので、例えば、１１０Ｗの直管形蛍光ランプの代替として、二本のＬＥＤランプ４を設置する場合に、上記蛍光ランプと略同一の位置および長さ寸法になるように取り付けることができる。
【００４１】
従って、二本のＬＥＤランプ４を一本の１１０Ｗの蛍光ランプの代替として使用者にとって違和感なく使用することができる。さらに、器具本体１の中央部に設けた保持用ソケット３の両側に二本のＬＥＤランプ４を取り付けて、二本のランプ全長を１１０Ｗの蛍光ランプ相当の長さにできるので、一本当たりのランプ長を長くすることがなく、１１０Ｗ蛍光ランプに相当する一本のＬＥＤランプよりも自重やＬＥＤの熱による反りの発生を抑制することができる。さらに、一本当たりのランプ長が短いので、長尺の照明器具へのランプの取り付け作業を一人でも容易に行うことが可能である。
【００４２】
なお、本実施形態では、保持用ソケット３が接地機能を有する例について説明したが、保持用ソケット３は少なくとも保持ピン４２ａを保持する機能を備えていればよく接地機能は必須ではない。接地機能を備えない保持用ソケット３を用いる場合、保持用ソケット３は器具本体と通電しないので、既存の１１０Ｗの蛍光ランプを取り付けるための照明器具の下面１１中央部にネジ３４で取り付けるだけでよい。従って、保持用ソケット３に対する配線等の工事が必要なく、容易に上記既存の照明器具を利用することができる。
【００４３】
（第２の実施形態）
次に、本発明の第２の実施形態について説明する。なお、第１の実施形態と同一の構成については、同一の符号を付し、その詳細な説明は省略する。
【００４４】
図５に、第２の実施形態に係る保持用ソケット５の説明図を示す。図６に、給電用ソケット２および保持用ソケット５に対するＬＥＤランプ４の取付方法の説明図を示す。図７に、ＬＥＤランプ４が取り付けられた保持用ソケット５の側面図および下面図を示す。
【００４５】
図５の（ａ）は保持用ソケット３の正面図、（ｂ）は側面図、（ｃ）は背面図、（ｄ）は上面図、（ｅ）は（ｂ）のＡ−Ａ´断面図である。本実施形態では、保持用ソケット５の構造が第１の実施形態と異なる。
【００４６】
図５（ａ）および（ｃ）に示すように、保持部としての保持用ソケット５は、保持用ソケット５の筺体部５１の下端から略中央部まで鉛直上方向に切り欠かれた挿入部としてのスリット５２を有する。第１の実施形態の保持用ソケット３と異なり、スリット５２は筺体部５１の正面側から背面側、つまり器具本体１の長手方向に貫通している。また、図５（ｂ）に示すように、側面方向から見た保持用ソケット５の幅、つまり器具本体１の長手方向の厚さ寸法は、保持用ソケット３よりも薄い。具体的には、保持用ソケット５の厚さは、保持用ソケット３の第１保持部３１と略同等の厚さであるので、保持用ソケット３全体の厚さの半分程度の厚さである。
【００４７】
また、図５（ｅ）に示すように、保持用ソケット５は、接地端子５３およびアース銅板５４を筺体部５１内に有する。アース銅板５４には、スリット５２の下端側から、第１バネ部５４ａ、第１凹部５４ｂ、第２バネ部５４ｃ、第２凹部５４ｄが板バネ状のアース銅板５４を屈曲させることにより形成されている。
【００４８】
第１バネ部５４ａ、第２バネ部５４ｃは、スリット５２の内側方向に突出しており、第１凹部５４ｂ、第２凹部５４ｄはスリット５２の外側方向に窪んだ形状を有する。また、筺体部５１の第１凹部５４ｂ、第２凹部５４ｄに対向する位置には、第１湾曲部５１ａおよび第２湾曲部５１ｂが形成されている。第２凹部５４ｄと第２湾曲部５１ｂはスリット５２の上端部５２ａ近傍に位置している。
【００４９】
図６に示すように、保持用ソケット５には、二本のＬＥＤランプ４の各保持ピン４２ａを保持することが可能である。図６の矢印に示すように一個所のスリット５２に対し、器具本体１の一端部１２側および他端部１３側に取り付けられるＬＥＤランプ４の保持ピン４２ａが下方から挿入される。図７に示すように、保持用ソケット５は、各保持ピン４２ａを並列に保持する。換言すれば、二本の保持ピン４２ａが器具本体１の長手方向に垂直な面内の所定の方向から見て重なった状態で保持されており、スリット５２が延びる鉛直方向に平行な面内で器具本体１の長手方向に重なった状態で保持される。つまり、二本の保持ピン４２ａは、高さ方向（鉛直方向）に重なるようにスリット５２内で保持される。
【００５０】
したがって、二本のＬＥＤランプ４が照明器具１０に取り付けられた状態では、図７（ａ）右側に位置する一方側の保持ピン４２ａは他方側の保持ピン４２ａよりも鉛直上方向側に位置している。ただし、各保持ピン４２ａは鉛直方向に平行な同一面内で保持されているので、図７（ｂ）に示すように二本のＬＥＤランプ４は下方から見て略一直線上に並ぶように設けられており、使用者に対しあたかも一本のランプのように見せることができ、違和感ない外観となる。
【００５１】
また、本実施形態の給電用ソケット２は、第１の実施形態とは異なり、一方の給電用ソケット２、例えば図６の右側の給電用ソケット２の方が、他方（左側）の給電用ソケット２よりも給電ピン４１ａ，４１ａの保持位置が器具本体１側、つまり鉛直上方向側に位置している。すなわち、一方の給電用ソケット２側のＬＥＤランプ４を先に保持用ソケット５に取り付け、次に他方の給電用ソケット２側のＬＥＤランプ４を保持用ソケット５に取り付けることで、二本のＬＥＤランプがいずれも略水平をなすように照明器具１０に取り付けることが可能となる。
【００５２】
なお、図７（ａ）の寸法Ｃで示す二本の保持ピン４２ａの鉛直方向の距離を６．２ｍｍ以上確保していれば、ＬＥＤランプ４の取り付け時にランプを回転させたときに、保持ピン４２ａどうしが互いに接触しないようにすることができる。
【００５３】
また、本実施形態の照明器具１０は、二本のＬＥＤランプ４の保持ピン４２ａが鉛直方向に平行な面内で器具本体１の長手方向に重なるようにスリット５２に挿入して保持する保持用ソケット５を備えている。これにより、保持ピン４２ａを挿入して保持するために必要な、図７（ａ）に示す保持用ソケット５の厚さＤを低減することができる。従って、連接された二本のＬＥＤランプ４の全長を短くでき、ひいては二本のＬＥＤランプを取り付けるための照明器具１０の全長を短くすることができる。また、保持用ソケットの厚さを低減することで二本のＬＥＤランプ４の間の非発光領域を低減することもできる。
【００５４】
なお、寸法Ｄは、少なくとも１１．６ｍｍ以上確保されていればＬＥＤランプ４の熱膨張距離を最大２ｍｍまで吸収することができる。また、給電用ソケット２側でＬＥＤランプ４の熱膨張を吸収する場合は、寸法Ｄを最小７．６ｍｍまで狭めることが可能である。
【００５５】
すなわち、厚さ寸法を短くできる保持用ソケット５を適用することで、１１０Ｗの蛍光ランプを取り付ける全長約２４３０ｍｍの既存の照明器具を利用して、４０Ｗの蛍光ランプに相当する全長１２１２ｍｍ（給電ピンおよび保持ピンを含む）のＬＥＤランプを二本取り付けることが可能である。既存の照明器具に、４０Ｗ蛍光ランプ相当の寸法が予め定められたＬＥＤランプを取り付けることができるので、低コストかつ容易に１１０Ｗの直管形蛍光ランプから直管形ＬＥＤランプに置き換えることができる。
【００５６】
（第３の実施形態）
次に、本発明の第３の実施形態について説明する。なお、第１の実施形態と同一の構成については、同一の符号を付し、その詳細な説明は省略する。
【００５７】
図８に、第３の実施形態に係る保持用ソケット６の説明図を示す。図９に、給電用ソケット２および保持用ソケット６に対するＬＥＤランプ４の取付方法の説明図を示す。図１０に、ＬＥＤランプ４が取り付けられた保持用ソケット６の側面図および下面図を示す。
【００５８】
図８の（ａ）は保持用ソケット６の一方の側面図、（ｂ）は正面図、（ｃ）は他方の側面図、（ｄ）は背面図、（ｅ）は上面図、（ｆ）は（ｃ）のＡ−Ａ´断面図である。本実施形態では、保持用ソケット６に取り付ける二本のうち一方のＬＥＤランプ４の保持ピン４２ａの保持構造が第２の実施形態と異なる。
【００５９】
保持部としての保持用ソケット６は、図８（ｄ）に示すように筺体部６１の下端から切り欠かれた第１挿入部としての第１スリット６２を有する。また、図８（ｂ）に示すように筺体部６１の一方の側面６１ａから切り欠かれた第２挿入部としての第２スリット６３を有する。保持用ソケット６の厚さ、つまり側面の幅は、第２の実施形態の保持用ソケット５と略同等である。
【００６０】
図８（ｄ）に示す第１スリット６２は、筺体部６１の下端から鉛直上方向に筺体部６１の背面６１ｂが切り欠かれており、背面６１ｂ側かつ下方からＬＥＤランプ４の保持ピン４２ａを挿入することができる。第１スリット６２は、一本のＬＥＤランプ４の保持ピン４２ａのみを保持するようにしてあり、第２実施形態のスリット５２よりもスリットが浅く形成されている。
【００６１】
図８（ｂ）に示す第２スリット６３は、筺体部６１の一方の側面６１ａから筺体部６１の正面６１ｃの中央部まで水平方向に切り欠かれ、さらに、上記中央部から鉛直下方向に連続的に切り欠かれている。第２スリット６３の下端６３ａは第１スリット６２の上端６２ａよりも上側に位置しており、器具本体１の長手方向に垂直な面内で互いに重ならない位置に形成されている。第２スリット６３には、筺体部６１の正面６１ｃ側かつ側面６１ａ側から保持ピン４２ａを挿入することができ、保持ピン４２ａを第２スリット６３の下端６３ａまで移動させることが可能である。
【００６２】
第１スリット６２と第２スリット６３は、保持ピン４２ａの保持位置が鉛直方向に略平行に並ぶように配置されている。筺体部６１内には、アース銅板６４が設けられてあり、第１スリット６２の下端側から第１バネ部６４ａ、第１凹部６４ｂ、第２凹部６４ｃ、第２バネ部６４ｄが形成されている。また、第１凹部６４ｂと第２凹部６４ｃに対向する位置に第１湾曲部６１ｂ、第２湾曲部６１ｃが形成されている。
【００６３】
図９に示すように、一方のＬＥＤランプ４の保持ピン４２ａは、第１スリット６２に下側から挿入され、第１スリット６２内の第１凹部６４ｂと第１湾曲部６１ｂの間で保持される。他方のＬＥＤランプ４の保持ピン４２ａは、第２スリット６３に上側かつ側面６１ａ側から挿入され、第２スリット６３内の第２凹部６４ｃと第２湾曲部６１ｃの間で保持される。
【００６４】
従って、各スリットに保持される保持ピン４２ａは互いに第１スリット６２の上端６２ａおよび第２スリット６３の下端６３ａにおいて鉛直方向に重なって配置され、図１０（ｂ）に示すように、下方から見て二本のＬＥＤランプ４が一直線上に並ぶように取り付けられる。すなわち、保持用ソケット６は、一対の保持ピン４２ａを並列に保持する。換言すれば、二本の保持ピン４２ａが器具本体１の長手方向に垂直な面内の所定の方向から見て重なった状態で保持されており、鉛直方向に平行な面内で器具本体１の長手方向に重なった状態で保持される。したがって、第２実施形態の保持ピン４２ａと同様の位置に保持される。
【００６５】
すなわち、本実施形態によれば、第２実施形態と同様に、保持ピン４２ａを保持するために必要な保持用ソケット６の厚さ寸法Ｄを低減することが可能である。加えて、保持用ソケット６に対し同一のスリットから二本の保持ピン４２ａを挿入するものではなく、各保持ピン４２ａを個別に挿入して保持するスリットを２個所に設けている。これにより、一対の保持ピン４２ａどうしが挿入部への挿入経路で干渉することがないので、二本のＬＥＤランプ４を保持用ソケット６に取り付ける順番を考慮する必要がない。さらに、二本のＬＥＤランプ４が取り付けられた状態で任意の一本のＬＥＤランプ４を取り外すことができるので、ＬＥＤランプ４の着脱作業が非常に容易である。
【００６６】
（第４の実施形態）
次に、本発明の第４の実施形態について説明する。なお、第１の実施形態と同一の構成については、同一の符号を付し、その詳細な説明は省略する。
【００６７】
図１１に、第４の実施形態に係る保持用ソケット７の説明図を示す。図１２に、給電用ソケット２および保持用ソケット７に対するＬＥＤランプ４の取付方法の説明図を示す。図１３に、ＬＥＤランプ４が取り付けられた保持用ソケット７の側面図および下面図を示す。
【００６８】
図１１の（ａ）は保持用ソケット３の正面図、（ｂ）は側面図、（ｃ）は背面図、（ｄ）は上面図、（ｅ）は（ｂ）のＡ−Ａ´断面図である。本実施形態では、保持用ソケット５の構造が第１の実施形態と異なる。
【００６９】
図１１（ａ）および（ｃ）に示すように、保持部としての保持用ソケット７は、保持用ソケット７の筺体部７１の下端から鉛直上方向に切り欠かれた第３挿入部としての第３スリット７２および第４挿入部としての第４スリット７３を有する。第３スリット７２および第４スリット７３は略平行をなすように水平方向に適長離隔して設けられてある。また、第３スリット７２および第４スリット７３は略同一の長さに形成されており、筺体部７１の中心線に対し略対称な位置に設けられている。また、第３スリット７２および第４スリット７３は筺体部７１の正面側から背面側に貫通している。
【００７０】
第３スリット７２および第４スリット７３は水平方向に並設されているので、図１１（ａ）の正面図における筺体部７１の幅寸法が上述の保持用ソケット３、５、６よりも大きくなっている。また、筺体部７１内には、アース銅板７４、７５が筺体部７１の中心線に対し略対称な位置に設けられている。なお、アース銅板７４、７５の構造および機能については第１実施形態と同様であるので、説明を省略する。
【００７１】
図１２に示すように、保持用ソケット７には、正面側および背面側に位置する二本のＬＥＤランプ４の保持ピン４２ａを下方から挿入して取り付けることができる。
【００７２】
図１３に示すように、保持用ソケット７に対し二本の保持ピン４２ａを器具本体１の長手方向に重なった状態で保持している。また、図１３（ａ）のように、保持用ソケット７の側面方向から見て、二本の保持ピン４２ａは水平方向で互いに重なるように配置されているが、それぞれ筺体部７１の正面側および背面側から独立して挿入することが可能な第１スリット７２および第２スリット７３により、保持ピン４２ａどうしが挿入部への挿入経路で干渉しないように保持用ソケット７に取り付けることが可能である。
【００７３】
なお、図１３（ｂ）に示す一対の保持ピン４２ａの水平方向の距離寸法Ｃを９．４ｍｍ以上確保することで、保持ピン４２ａどうしが互いに接触することなく保持用ソケット７に個別に着脱することが可能となる。
【００７４】
図１３（ｂ）に示すように、ＬＥＤランプ４が取り付けられた保持用ソケット７を下方から見て、ＬＥＤランプ４は一直線上でなく保持用ソケットの幅方向にわずかにずれて配置されているが、図１３（ａ）のように各ＬＥＤランプ４の鉛直方向の配置位置は同一であり、照明器具外観に対する使用者の違和感を軽減することができる。また、第２、３実施形態と同様に、保持用ソケット７は二本の保持ピン４２ａを並列に保持する。すなわち、器具本体１の長手方向に重なった状態で保持しており、二本の保持ピン４２ａが器具本体１の長手方向に垂直な面内の所定の方向（水平方向）から見て重なった状態で保持されている。したがって、保持ピン４２ａを保持するために必要な保持用ソケット７の厚さ寸法Ｄを低減することができる効果を奏する。
【００７５】
また、二本のＬＥＤランプ４を個別に第１スリット７２および第２スリット７３に取り付けられるので、保持用ソケット７に取り付ける順番を考慮する必要がなく、さらに、二本のＬＥＤランプ４が取り付けられた状態で任意の一本のＬＥＤランプ４を取り外すことができるので、着脱が容易であるという効果も奏する。
【符号の説明】
【００７６】
１              器具本体
２              給電用ソケット
３              保持用ソケット
３１ｂ，３２ｂ  スリット
４              ＬＥＤランプ
４１            給電口金
４１ａ          給電ピン
４２            保持口金
４２ａ          保持ピン
５              保持用ソケット
５２            スリット
６              保持用ソケット
６２            第１スリット
６３            第２スリット
７              保持用ソケット
７２            第３スリット
７３            第４スリット
１０            照明器具
【図１】
2014203519.tif 000003
【図２】
2014203519.tif 000004
【図３】
2014203519.tif 000005
【図４】
2014203519.tif 000006
【図５】
2014203519.tif 000007
【図６】
2014203519.tif 000008
【図７】
2014203519.tif 000009
【図８】
2014203519.tif 000010
【図９】
2014203519.tif 000011
【図１０】
2014203519.tif 000012
【図１１】
2014203519.tif 000013
【図１２】
2014203519.tif 000014
【図１３】
2014203519.tif 000015
【図１４】
2014203519.tif 000016